(57)【要約】本発明は、トランスコーダーを備えたメディアゲートウェイと、メディアゲートウェイとディジタル音声信号を送／受信する基地局制御器とを含む移動通信システムにおいて、音声信号のデータフレームを送／受信する間に遅延した送／受信時間を同期化するための方法及びシステムを提供する。メディアゲートウェイ又は基地局制御器が音声信号の順方向データフレームの同期化を確認することによって同期化制御を遂行する。基地局制御器が同期化を要求することに従って、メディアゲートウェイは、伝送タイミングを調節し、前記調節された伝送タイミングに従って同期化を取得し、これによって、音声信号のデータフレームを正確に送／受信する。
2006516181.tif 000002
【特許請求の範囲】
【請求項１】
アナログ音声信号と符号化されたディジタル音声信号との間の相互変換を遂行するトランスコーダーを備えるメディアゲートウェイと、前記メディアゲートウェイへ／からディジタル音声信号を送／受信する基地局制御器とを含む移動通信システムにおいて、前記音声信号のデータフレームの送受信時の遅延による送／受信時間を同期化する方法であって、
前記基地局制御器が前記移動端末から受信された音声信号のデータフレーム及び順方向遅延に関する情報を前記メディアゲートウェイへ伝送するステップと、
前記メディアゲートウェイが着信側から音声信号のデータフレームを受信する場合、逆方向遅延に関する情報を前記メディアゲートウェイから前記基地局制御器へ伝送するステップと、
前記基地局制御器及び前記メディアゲートウェイが前記順方向遅延及び逆方向遅延に関する情報を受信して前記同期化に対する制御を遂行するステップと
を含むことを特徴とする方法。
【請求項２】
前記順方向遅延に関する情報は、前記メディアゲートウェイから受信された前記音声信号の順方向データフレームの実際到着時間及び予想到着時間を用いて計算された差分値として設定されることを特徴とする請求項１記載の方法。
【請求項３】
前記逆方向遅延に関する情報は、前記基地局制御器から受信された前記音声信号の逆方向データフレームの実際到着時間及び予想到着時間を用いて計算された差分値として設定されることを特徴とする請求項１記載の方法。
【請求項４】
アナログ音声信号と符号化されたディジタル音声信号との間の相互変換を遂行するトランスコーダーを備えるメディアゲートウェイと、前記メディアゲートウェイへ／からディジタル音声信号を送／受信する基地局制御器とを含む移動通信システムにおいて、前記基地局制御器が前記音声信号のデータフレームの送／受信時の遅延による送／受信時間を同期化する方法であって、
前記メディアゲートウェイから受信された前記音声信号の順方向データフレームが同期化されるか否かを確認するステップと、
前記順方向音声データフレームが同期化されない場合、順方向遅延に関する情報を指定し、前記指定された順方向遅延に関する情報と移動端末から受信された音声信号の逆方向データフレームを前記メディアゲートウェイへ通知するステップと、
前記順方向音声データフレームが連続的に同期化されない場合、前記メディアゲートウェイへ時間同期化を要求するステップと、
前記時間同期化の要求に従って、前記メディアゲートウェイによって調節された伝送タイミングに関する情報を受信するステップと、
前記伝送タイミングに関する情報を用いて前記順方向音声データフレームを同期化して前記移動端末へ伝送するステップと
を含むことを特徴とする方法。
【請求項５】
前記順方向遅延に関する情報は、前記メディアゲートウェイから受信された前記音声信号の順方向データフレームの実際到着時間及び予想到着時間を用いて計算された差分値として設定されることを特徴とする請求項４記載の方法。
【請求項６】
前記メディアゲートウェイに時間同期化を要求するステップは、
あらかじめ設定された時間の間に前記逆方向データフレームの同期化を要求する情報を逆方向フレームメッセージに指定し、前記逆方向フレームメッセージをあらかじめ設定されたフレームプロトコルの伝送フレームとともに伝送することを特徴とする請求項４記載の方法。
【請求項７】
前記逆方向フレームメッセージは、前記音声信号のデータフレームを伝送するインターフェースを介して伝送され、時間同期化情報及び時間遅延に関する情報要素を含む逆方向レイヤー３データ情報を含むことを特徴とする請求項６記載の方法。
【請求項８】
前記メディアゲートウェイに時間同期化を要求するステップは、
前記基地局制御器があらかじめ設定された時間の間に前記逆方向データフレームの同期化を要求する情報を逆方向フレームメッセージに指定し、前記逆方向フレームメッセージをあらかじめ設定されたフレームプロトコルの伝送フレームとは別途に伝送することを特徴とする請求項４記載の方法。
【請求項９】
前記逆方向フレームメッセージは、前記音声信号のデータフレームを伝送する第１のインターフェースとは別途に設定された第２のインターフェースを介して伝送され、時間同期化情報及び移動端末識別番号に関する情報を含むことを特徴とする請求項８記載の方法。
【請求項１０】
アナログ音声信号と符号化されたディジタル音声信号との間の相互変換を遂行するトランスコーダーを備えるメディアゲートウェイと、前記メディアゲートウェイへ／からディジタル音声信号を送／受信する基地局制御器とを含む移動通信システムにおいて、前記メディアゲートウェイが前記音声信号のデータフレームの送／受信時の遅延による送／受信時間を同期化する方法であって、
前記基地局制御器から受信された前記音声信号の逆方向データフレームが同期化されるか否かを確認するステップと、
前記逆方向音声データフレームが同期化されない場合に逆方向遅延に関する情報を指定し、前記指定された逆方向遅延に関する情報と音声信号の順方向データフレームを基地局制御器に通知するステップと、
前記逆方向音声データフレームが連続的に同期化されない場合、前記基地局制御器から同期化要求を受信するステップと、
前記同期化要求に従って前記逆方向音声データフレームに対する伝送タイミングを調節して前記基地局制御器へ伝送するステップと、
前記調節された伝送タイミングに関する情報に従って前記基地局制御器から同期化された前記逆方向音声データフレームを受信するステップと
を含むことを特徴とする方法。
【請求項１１】
前記逆方向遅延に関する情報は、前記基地局制御器から受信された前記音声信号の逆方向データフレームの実際到着時間及び予想到着時間を用いて計算された差分値として設定されることを特徴とする請求項１０記載の方法。
【請求項１２】
前記基地局制御器から同期化要求を受信するステップは、
前記基地局制御器があらかじめ設定された時間の間に前記逆方向データフレームの同期化を要求する情報を逆方向フレームメッセージに指定し、前記メディアゲートウェイが前記逆方向フレームメッセージをあらかじめ設定されたフレームプロトコルの伝送フレームとともに前記基地局制御器から受信することを特徴とする請求項１０記載の方法。
【請求項１３】
前記逆方向フレームメッセージは、前記音声信号のデータフレームを伝送するインターフェースを介して伝送され、時間同期化及び時間遅延に関する情報要素を含む逆方向レイヤー３データ情報を含むことを特徴とする請求項１２記載の方法。
【請求項１４】
前記基地局制御器から同期化要求を受信するステップは、
前記基地局制御器があらかじめ設定された時間の間に前記逆方向データフレームの同期化を要求する情報を逆方向フレームメッセージに指定し、前記メディアゲートウェイが前記逆方向フレームメッセージをあらかじめ設定されたフレームプロトコルの伝送フレームとは別途に受信することを特徴とする請求項１０記載の方法。
【請求項１５】
前記逆方向フレームメッセージは、前記音声信号のデータフレームを伝送する第１のインターフェースとは別途に設定された第２のインターフェースを介して伝送され、時間同期化情報及び移動端末識別番号に関する情報を含むことを特徴とする請求項１４記載の方法。
【請求項１６】
アナログ音声信号と符号化されたディジタル音声信号との間の相互変換を遂行するトランスコーダーを備えるメディアゲートウェイと、前記メディアゲートウェイへ／からディジタル音声信号を送／受信する基地局制御器とを含む移動通信システムにおいて、前記音声信号のデータフレームの送受信時の遅延による送／受信時間を同期化するシステムであって、
前記移動端末から受信された音声信号のデータフレーム及び順方向遅延に関する情報を前記メディアゲートウェイへ伝送し、前記順方向遅延及び逆方向遅延に関する情報を受信して前記同期化に対する制御を遂行する前記基地局制御器と、
メディアゲートウェイが着信側から音声信号のデータフレームを受信する場合、逆方向遅延に関する情報を前記基地局制御器へ伝送し、前記順方向遅延及び逆方向遅延に関する情報を受信し、前記同期化に対する制御を遂行する前記メディアゲートウェイと
を含むことを特徴とするシステム。
【請求項１７】
前記順方向遅延に関する情報は、前記メディアゲートウェイから受信された前記音声信号の順方向データフレームの実際到着時間及び予想到着時間を用いて計算された差分値として設定されることを特徴とする請求項１６記載のシステム。
【請求項１８】
前記逆方向遅延に関する情報は、前記基地局制御器から受信された前記音声信号の逆方向データフレームの実際到着時間及び予想到着時間を用いて計算された差分値として設定されることを特徴とする請求項１６記載のシステム。
【請求項１９】
前記基地局制御器は、
前記メディアゲートウェイから受信された前記音声信号の順方向データフレームが同期化されるか否かを確認し、前記順方向音声データフレームが連続的に同期化されない場合、前記メディアゲートウェイに時間同期化を要求し、前記時間同期化の要求に従って前記メディアゲートウェイによって調節された伝送タイミングに関する情報を受信して順方向音声データフレームを同期化し、前記順方向音声データフレームを前記移動端末へ伝送することを特徴とする請求項１６記載のシステム。
【請求項２０】
前記基地局制御器が前記メディアゲートウェイへ時間同期化を要求すると、前記基地局制御器は、あらかじめ設定された時間の間に前記逆方向データフレームの同期化を要求する情報を逆方向フレームメッセージに指定し、前記逆方向フレームメッセージをあらかじめ設定されたフレームプロトコルの伝送フレームとともに伝送することを特徴とする請求項１９記載のシステム。
【請求項２１】
前記逆方向フレームメッセージは、前記音声信号のデータフレームを伝送するインターフェースを介して伝送され、時間同期化及び時間遅延に関する情報要素を含む逆方向レイヤー３データ情報を含むことを特徴とする請求項２０記載のシステム。
【請求項２２】
前記基地局制御器が前記メディアゲートウェイへ時間同期化を要求すると、前記基地局制御器は、あらかじめ設定された時間の間に前記逆方向データフレームの同期化を要求する情報を逆方向フレームメッセージに指定し、前記逆方向フレームメッセージをあらかじめ設定されたフレームプロトコルの伝送フレームと別途に伝送することを特徴とする請求項１９記載のシステム。
【請求項２３】
前記逆方向フレームメッセージは、前記音声信号のデータフレームを伝送する第１のインターフェースとは別途に設定された第２のインターフェースを介して伝送され、時間同期化情報及び移動端末識別番号に関する情報を含むことを特徴とする請求項２２記載のシステム。
【請求項２４】
前記メディアゲートウェイは、
前記基地局制御器から受信された前記音声信号の逆方向データフレームが同期化されるか否かを確認し、前記逆方向音声データフレームが連続的に同期化されない場合、前記基地局制御器から同期化要求を受信し、前記同期化要求に従って前記逆方向音声データフレームに対する伝送タイミングを調節して前記基地局制御器へ伝送し、前記基地局制御器から前記調節された伝送タイミングに関する情報に従って同期化された前記逆方向音声データフレームを受信することを特徴とする請求項１６記載のシステム。
【請求項２５】
前記メディアゲートウェイが前記基地局制御器から同期化要求を受信すると、前記メディアゲートウェイは、前記基地局制御器があらかじめ設定された時間の間に前記逆方向データフレームの同期化を要求する情報を逆方向フレームメッセージに指定し、前記メディアゲートウェイは、前記逆方向フレームメッセージをあらかじめ設定されたフレームプロトコルの伝送フレームとともに前記基地局制御器から受信することを特徴とする請求項２４記載のシステム。
【請求項２６】
前記逆方向フレームメッセージは、前記音声信号のデータフレームを伝送するインターフェースを介して伝送され、時間同期化及び時間遅延に関する情報要素を含む逆方向レイヤー３データ情報を含むことを特徴とする請求項２５記載のシステム。
【請求項２７】
前記メディアゲートウェイが前記基地局制御器から同期化要求を受信すると、前記メディアゲートウェイは、あらかじめ設定された時間の間に前記逆方向データフレームの同期化を要求する情報を逆方向フレームメッセージに指定し、前記メディアゲートウェイは、前記逆方向フレームメッセージをあらかじめ設定されたフレームプロトコルの伝送フレームとは別途に受信することを特徴とする請求項２４記載のシステム。
【請求項２８】
前記逆方向フレームメッセージは、前記音声信号のデータフレームを伝送する第１のインターフェースとは別途に設定された第２のインターフェースを介して伝送され、時間同期化情報及び移動端末識別番号に関する情報を含むことを特徴とする請求項２７記載のシステム。
【発明の詳細な説明】
【技術分野】
【０００１】
本発明は、移動通信システムにおけるデータを伝送する方法及びシステムに関し、特に、インターネット／マルチメディアサービスを提供する移動通信システムにおいて音声データを伝送するための同期化方法及び同期化システムに関する。
【背景技術】
【０００２】
最近、移動通信加入者の数が急激に増加し、移動通信サービスとインターネットサービスとが連係するに従って、移動通信端末機でもインターネットサービス及びマルチメディアサービスのような多様な形態のデータサービスを受信することができるように発展している。このような符号分割多重接続移動通信システム（Code Division Multiple Access mobile communication system；以下、“ＣＤＭＡ ２０００ １ｘ”）を添付図面を参照して説明すると、下記の通りである。
【０００３】
図１は、従来のＣＤＭＡ ２０００ １ｘシステムの構造を示すブロック図である。
ＣＤＭＡ２０００ １ｘは、基地局２０と連動して移動端末が送受信する音声及びデータを該当目的地と交換する交換機（Mobile Switching Center；ＭＳＣ）３０と、外部インターネット網とのインターフェース機能を遂行するパケットデータサービスノード（Packet Data Service Node；ＰＤＳＮ）４０とを含む。また、ＣＤＭＡ２０００ １ｘは、交換機３０からデータ伝送の要求を受信すると、サーキットデータ及びパケットデータを相互に変換し、この変換されたデータを伝送する整合装置（Interworking Function；ＩＷＦ）５０と、パケットデータサービスノード４０と基地局２０との間に接続されて音声信号及びデータをインターフェースするパケット制御装置（Packet Control Function；ＰＣＦ）６０とを含む。
【０００４】
基地局２０は、基地局送受信装置（ＢＴＳ）２２Ａ及び２２Ｂと、基地局送受信装置（ＢＴＳ）２２Ａ及び２２Ｂを制御する基地局制御器（Base Station Controller；ＢＳＣ）２１とを含む。
交換機３０と基地局制御器２１との間には、Ａ１インターフェース及びサーキットデータ専用であるユーザ情報Ａ２／Ａ５インターフェースが設定される。また、Ａ３インターフェースは、端末にソフトハンドオフが発生する間に、逆方向フレームの選択及び順方向フレームの伝送の際に基地局制御器と他の基地局との間の制御信号及びユーザデータを同時に送受信するために提供される。 
【０００５】
基地局制御器２１は、トランスコーダー（又は、ボコーダ）２３を含む。トランスコーダー（又は、ボコーダ）２３は、無線区間を通して端末が伝送した無線ボコーダ（例えば、ＥＶＲＣ、ＳＭＶ、又はＱ−ＣＥＬＰ）フレームを基地局制御器２１が無線ボコーダフレームを受信した後に、有線集中網への伝送のために無線ボコーダではない代表的な有線ボコーダであるＰＣＭボコーダフレームへの変換機能を遂行する。従来の基地局制御器と交換機との間の伝送路は、ＴＤＭ方式の伝送路が使用されているので、移動端末の無線ボコーダが生成したフレームを伝達することができない。すなわち、使用される帯域が１３ｋｂｐｓ未満の無線ボコーダで生成されたフレームは、基地局制御器のトランスコーダーで生成されたフレームで６４ｋｂｐｓ帯域をすべて使用して伝送される。
【０００６】
しかしながら、上述したように、基地局制御器と交換機との間の伝送路は、ＴＤＭ方式で形成されるので、このようなＴＤＭ伝送路の上では、帯域が浪費されるので伝送路の効率性が低下し、ＴＤＭ伝送路のコストも増加するという問題点がある。
【０００７】
さらに、従来の回線に基づくシステムでは、インターネット／マルチメディアサービスの高速のパケットデータの伝送が難しいので、最近では、ＩＰ網のようなパケットに基づく移動通信システムに発展している。このような高速のパケットデータサービスのためには、従来のシステムでのように、基地局制御器でトランスコーダーを使用して音声信号を変換すると、帯域の浪費をもたらすので、新たなシステムの実現が要求された。
【発明の開示】
【発明が解決しようとする課題】
【０００８】
上記背景に鑑みて、本発明の目的は、パケットに基づくＩＰ網に適合するように回線網と別途のパケット網を有する次世代移動通信システムを提供することにある。
本発明の他の目的は、パケットに基づく伝送方式を使用するメディアゲートウェイと基地局制御器との間で音声データフレームを送受信する間に発生される時間遅延を補償するための時間同期化方法及び時間同期化システムを提供することにある。
【０００９】
本発明のさらなる目的は、IＰに基づく次世代移動通信システムにおいて、メディアゲートウェイと基地局制御器との間で音声情報を送受信すると、音声データフレームを処理することができるフレームプロトコルを提供することにある。
【課題を解決するための手段】
【００１０】
このような目的を達成するために、本発明の１つの特徴によると、アナログ音声信号と符号化されたディジタル音声信号との間の相互変換を遂行するトランスコーダーを備えるメディアゲートウェイと、上記メディアゲートウェイへ／からディジタル音声信号を送／受信する基地局制御器とを含む移動通信システムにおいて、上記音声信号のデータフレームの送受信時の遅延による送／受信時間を同期化する方法であって、上記基地局制御器が上記移動端末から受信された音声信号のデータフレーム及び順方向遅延に関する情報を上記メディアゲートウェイへ伝送するステップと、上記メディアゲートウェイが着信側から音声信号のデータフレームを受信する場合、逆方向遅延に関する情報を上記メディアゲートウェイから上記基地局制御器へ伝送するステップと、上記基地局制御器及び上記メディアゲートウェイが上記順方向遅延及び逆方向遅延に関する情報を受信して上記同期化に対する制御を遂行するステップとを含むことを特徴とする。
【００１１】
本発明の他の特徴によると、アナログ音声信号と符号化されたディジタル音声信号との間の相互変換を遂行するトランスコーダーを備えるメディアゲートウェイと、上記メディアゲートウェイへ／からディジタル音声信号を送／受信する基地局制御器とを含む移動通信システムにおいて、上記基地局制御器が上記音声信号のデータフレームの送／受信時の遅延による送／受信時間を同期化する方法であって、上記メディアゲートウェイから受信された上記音声信号の順方向データフレームが同期化されるか否かを確認するステップと、上記順方向音声データフレームが同期化されない場合、順方向遅延に関する情報を指定し、上記指定された順方向遅延に関する情報と移動端末から受信された音声信号の逆方向データフレームを上記メディアゲートウェイへ通知するステップと、上記順方向音声データフレームが連続的に同期化されない場合、上記メディアゲートウェイへ時間同期化を要求するステップと、上記時間同期化の要求に従って、上記メディアゲートウェイによって調節された伝送タイミングに関する情報を受信するステップと、上記伝送タイミングに関する情報を用いて上記順方向音声データフレームを同期化して上記移動端末へ伝送するステップとを含むことを特徴とする。
【００１２】
本発明のさらなる特徴によると、アナログ音声信号と符号化されたディジタル音声信号との間の相互変換を遂行するトランスコーダーを備えるメディアゲートウェイと、上記メディアゲートウェイへ／からディジタル音声信号を送／受信する基地局制御器とを含む移動通信システムにおいて、上記メディアゲートウェイが上記音声信号のデータフレームの送／受信時の遅延による送／受信時間を同期化する方法であって、上記基地局制御器から受信された上記音声信号の逆方向データフレームが同期化されるか否かを確認するステップと、上記逆方向音声データフレームが同期化されない場合に逆方向遅延に関する情報を指定し、上記指定された逆方向遅延に関する情報と音声信号の順方向データフレームを基地局制御器に通知するステップと、上記逆方向音声データフレームが連続的に同期化されない場合、上記基地局制御器から同期化要求を受信するステップと、上記同期化要求に従って上記逆方向音声データフレームに対する伝送タイミングを調節して上記基地局制御器へ伝送するステップと、上記調節された伝送タイミングに関する情報に従って上記基地局制御器から同期化された上記逆方向音声データフレームを受信するステップとを含むことを特徴とする。
【００１３】
本発明のもう１つの特徴によると、アナログ音声信号と符号化されたディジタル音声信号との間の相互変換を遂行するトランスコーダーを備えるメディアゲートウェイと、上記メディアゲートウェイへ／からディジタル音声信号を送／受信する基地局制御器とを含む移動通信システムにおいて、上記音声信号のデータフレームの送受信時の遅延による送／受信時間を同期化するシステムであって、上記移動端末から受信された音声信号のデータフレーム及び順方向遅延に関する情報を上記メディアゲートウェイへ伝送し、上記順方向遅延及び逆方向遅延に関する情報を受信して上記同期化に対する制御を遂行する上記基地局制御器と、メディアゲートウェイが着信側から音声信号のデータフレームを受信する場合、逆方向遅延に関する情報を上記基地局制御器へ伝送し、上記順方向遅延及び逆方向遅延に関する情報を受信し、上記同期化に対する制御を遂行する上記メディアゲートウェイとを含むことを特徴とする。
【発明の効果】
【００１４】
本発明が提供するシステム及び方法は、基地局制御器及びメディアゲートウェイを同期化することができ、これによって、送受信データを遅延なく効率的に伝送することができるという効果がある。
【発明を実施するための最良の形態】
【００１５】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
本発明の次世代移動通信システムによると、従来の交換機は、呼制御及び移動性制御を担当する交換エミュレータ（MSC emulator（ＭＳＣｅ）又はメディアゲートウェイコントロール（ＭＧＣ））と、音声データをアナログ信号／ディジタル信号からディジタル信号／アナログ信号へ変換して伝送（forwarding）するメディアゲートウェイ（Media Gateway；ＭＧＷ）とに分けられる。従って、従来技術の交換機と基地局制御器との間の音声情報を伝送するためのベアラーインターフェースは、本発明のメディアゲートウェイと基地局制御器との間のインターフェースに相当する。そして、移動端末から／へ送受信される音声情報を伝送するために、メディアゲートウェイと基地局制御器との間の伝送状態及びパケット到着シーケンスを確認することができるフレームプロトコルが新たに設定される。また、本発明の次世代移動通信システムは、符号分割多重接続（Code Division Multiple Access；ＣＤＭＡ ２０００ １ｘ）のＬＭＳＤ（Legacy MS Domain）システムであって、無線接続網（Radio Access Network；ＲＡＮ）と基幹回線網（Core Network；ＣＮ）との間のネットワーク参照モデル（Network Reference Model）を通して示す。このような次世代移動通信システム（以下、“ＣＤＭＡ ２０００ １ｘ”と称する）について添付図面を参照して詳細に説明する。
【００１６】
図２は、本発明の実施形態に従うＣＤＭＡ ２０００ １ｘシステムの構成を示すブロック図である。
図２に示すように、ＣＤＭＡ ２０００ １ｘシステムは、基地局制御器１２１、メディアゲートウェイ１３１、交換エミュレータ１３２、パケットデータサービスノード（Packet Data Service Node；ＰＤＳＮ）１６０、及びパケット制御装置（Packet Control Function；ＰＣＦ）１５０を含む。
【００１７】
メディアゲートウェイ１３１は、基地局制御器１２１と連動し、アナログ音声信号とディジタル信号との相互変換を担当するトランスコーダー１３３を備えている。トランスコーダー１３３は、パルスコード変調（Pulse Code Modulation；ＰＣＭ）方式を用いて、一般的な有線電話から伝達された音声データフレームを無線端末が使用する無線ボコーダフレームに変換する順方向動作を遂行し、端末の無線ボコーダによって生成された音声データを６４ｋｂｐｓのＰＣＭ音声データに変換する逆方向動作を遂行する。すなわち、トランスコーダー１３３は、音声信号がない場合、減少された伝送率でコーディング動作を遂行し、音声信号が多い場合、最大伝送率でコーディング動作を遂行する。
【００１８】
交換エミュレータ１３２は、呼制御信号及び移動性制御信号、すなわち、メディアゲートウェイ１３１を制御する信号を交換する。
パケット制御装置１５０は、外部インターネット網に接続されたパケットデータサービスノード１６０と連動し、ハンドオフを制御して管理し、移動端末のパケットデータサービスプロフィールを管理する。
【００１９】
基地局制御器１２１とメディアゲートウェイ１３１との間のインターフェースは、一般的なＡ１インターフェースに対応する“Ａ１ｐ”インターフェースであり、従来のＡ２インターフェースに対応する“Ａ２ｐ”インターフェースである。そして、基地局制御器１２１とメディアゲートウェイ１３１との間に“Ａｍｐ”インターフェースを設定してベアラー（Bearer）の設定、保持、及び管理のための外部帯域シグナリングを遂行する。ここで、上記“Ａｍｐ”インターフェースで定義された機能は、Ａ２ｐインターフェースのフレームプロトコルで内部帯域シグナリングによって遂行されることもできる。このような“Ａ１ｐ”、“Ａ２ｐ”、及び“Ａｍｐ”インターフェースは、一般的な回線に基づくインターフェースではなく、パケット（ＡＴＭ又はＩＰ）に基づくインターフェースである。
【００２０】
上記基地局制御器とメディアゲートウェイとの間のインターフェースに定義されるプロトコルスタックの一例を図３を参照して説明すると、下記の通りである。
上記プロトコルスタックにおいて、本発明に適用される“ケース１”について説明し、ケース２についての説明は省略するものとする。
【００２１】
“Ａ２ｐ”インターフェースのプロトコルスタックにおいて、ＲＴＰ＊（Real time Transport Protocol＊）及びＧＲＥ＊（Generic Route Encapsulation＊）は、従来のＲＴＰ及びＧＲＥの機能を多少変更して使用し、これは、単一のポートで複数のユーザのデータを多重化する機能及び従来のＲＴＰ及びＧＲＥのすべての機能を必要としないことを意味する。
【００２２】
“Ａｍｐ” インターフェースは、フレームプロトコルで提供する制御手順で外部帯域シグナリング（Out-of-band signaling）のためのインターフェースであり、別個のインターフェースとして設定される。交換エミュレータ（ＭＳＣｅ）を通してＡｍｐインターフェースがメディアゲートウェイと整合する場合、プロトコルスタックのＳＣＴＰ（Session Control Transmission Protocol）を使用する。
【００２３】
上述したプロトコルスタックで定義されたフレームプロトコルについて説明すると、下記の通りである。ＲＴＰ又はＧＲＥ上で動作するフレームプロトコルは、メディアゲートウェイと基地局制御器との間に音声情報を送受信するとき、音声データフレームを処理する手順及び制御手順を提供する。上記フレームプロトコルの主な機能は、下記の通りである。
【００２４】
一番目に、フレームプロトコルは、音声データ情報を送信する前にフレームを形成して伝送する機能を有し、該当フレームを受信した後、該当フレームを制御情報及び音声データ情報に分離して解釈する機能を有している。
二番目に、フレームプロトコルは、基地局制御器とメディアゲートウェイとの間で音声データが伝送される前に、伝送路のサービス品質（Quality of Service；ＱｏＳ）を指定する機能とフレームを送受信する時に送受信されたフレームの番号を指定する機能とを含む初期化機能を有している。
【００２５】
三番目に、フレームプロトコルは、実時間で音声データ情報を送受信する時に発生する遅延問題を解決するために遅延に関する報告を通じて実際送受信が行われる間の同期の設定及び保持を遂行する機能を有している。
四番目に、フレームプロトコルは、移動端末に含まれたボコーダの伝送率及び伝送モードが変換されるとき、移動端末のボコーダと整合するように、メディアゲートウェイに含まれたボコーダの伝送率及び伝送モードを変換するためのボコーダ伝送制御機能を有している。
【００２６】
五番目に、フレームプロトコルは、ＤＢ（Dim and Burst）及びＢＢ（Blank and Burst）方式にて基地局制御器で生成されたシグナリングメッセージ及び付加データ（Secondary Traffic）を音声データフレームと多重化して移動端末へ伝送するために、メディアゲートウェイから伝送される音声データの伝送率を特定の時間で調節する機能を有している。
【００２７】
このようなフレームプロトコルの機能のうち、本発明では、上記三番目の機能、すなわち、フレーム送受信時間の同期化のための方法を説明する。まず、同期化のために設定されたフレームプロトコルについて添付図面を参照して説明すると、次の通りである。
【００２８】
図４Ａは、本発明の実施形態による時間同期化のためのフレームプロトコルのＡ２ｐ逆方向フレームメッセージを示し、図４Ｂは、図４Ａに示すＡ２ｐ逆方向フレームメッセージ情報の‘逆方向レイヤー３データ’情報を示す。
図４Ａを参照すると、逆方向フレームメッセージ（A2p Frame_Reverse）は、基地局制御器からメディアゲートウェイへ伝送されるメッセージであり、メッセージタイプ（Message Type）及びメッセージエラーチェック（Message CRC）に関連した情報を必須的に含んでいる。また、逆方向フレームメッセージは、逆方向レイヤー３データ情報（Reverse Layer 3 Data Information）、フレームプロトコル制御手順情報、時間同期化情報、及び失敗原因情報を選択的に含む。ここで、上記逆方向レイヤー３データ情報要素は、内部帯域シグナリング（In-band signaling）が遂行される場合、Ａ２ｐインターフェース上で多重化を遂行するための伝送率の減少のために伝送される情報の要素である。このような逆方向レイヤー３データ情報要素を図４Ｂを参照して説明すると、下記の通りである。
【００２９】
“コーデック識別子（Codec Indicator）”は、現在使用しているコーデックに関連した情報を示す。下記表１に示すように、“０００”のコーデック識別子の値は、ＥＶＲＣ（Enhanced Variable Rate Coding）方式のコーデックを示し、“００１”のコーデック識別子の値は、ＳＭＶ（Selectable Mode Vocoder）方式のコーデックを示し、“０１０”及び“０１１”のコーデック識別子の値は、１３Ｋ及び８Ｋ Ｑ−ＣＥＬＰ（Qualcomm Code Excited Linear Prediction）コーディング方式のコーデックをそれぞれ示し、“１００”のコーデック識別子の値は、ＡＭＲ（Adaptive Multi-Rate）コーディング方式のコーデックを示す。“１０１〜１１１”のコーデック識別子の値は、予備の値を示す。
【００３０】
【表１】
2006516181.tif 000003
【００３１】
“フレームシーケンス番号（Frame Sequence Number；ＦＳＮ）”は、基地局制御器によってフレーム単位でシステム時間を表現した値を１６に設定し、モジュロ演算（modulo）を遂行した値によって指定された情報を示す。ここで、上記モジュロ演算を通して得られた値は、基地局制御器が基地局送受信装置からフレームを逆方向に受信した時間を示すことができる。
【００３２】
“伝送率調節要求（Rate_Reduction_Required）”は、基地局制御器から伝送されるべきシグナリングメッセージが伝送率調節時間間隔内に存在することを示す情報である。ここで、伝送されるべきシグナリングメッセージが存在すると、“伝送率調節要求”の値を‘１’として設定し、そうでなければ‘０’として設定する。
【００３３】
“要求された減少フレーム番号（Required Reduced Frame Number）”は、基地局制御器から伝送されるべきシグナリングメッセージが複数の２０ｍｓフレームを通して多重化されて伝送されなければならない場合、幾つの２０ｍｓフレームが減少された伝送率で伝送されることを所望するかどうかを示す情報である。すなわち、“要求された減少フレーム番号”の値だけの順方向フレームを減少させるように要求することを下記表２のように示すことができる。
【００３４】
【表２】
2006516181.tif 000004
【００３５】
“伝送率減少要求（Rate_Reduction_Required）”は、基地局制御器が伝送率減少時間間隔（Rate Reduction Time Interval）の内に存在することを示すフィールドである。ここで、伝送されるべきシグナリングメッセージが存在すると、“伝送率減少要求”の値を‘１’として設定し、そうでなければ‘０’として設定する。
【００３６】
“ＢＢ識別子（BB Indicator）”は、ブランクアンドバスト（Blank and Bust）識別子である。基地局制御器がシグナリングメッセージ又は付加データを伝送するためにＢＢ方式を要求する場合、“ＢＢ識別子”の値を‘１’として設定し、そうでなければ、ディムアンドバースト（Dim and Burst）方式を意味する‘０’として設定する。
【００３７】
“データ挿入（Data Inclusion）”は、基地局制御器が多重化して伝送すべきシグナリングメッセージ又は付加トラフィック（secondary traffic）を現在のフレームプロトコル逆方向データに挿入して伝送するか否かを示すフィールドである。シグナリングメッセージ又は付加データが挿入されると、“データ挿入”の値を‘１’として設定し、そうでなければ、‘０’として設定する。ここで、“データ挿入”の値を‘１’として設定する場合、“長さ（Length）”フィールドに設定された値に該当するシグナリングメッセージ又は付加データが挿入される。
【００３８】
“伝送率減少時間間隔（Rate Reduction Time Interval）”は、基地局制御器がシグナリングメッセージや付加トラフィック（Secondary traffic）を伝送したい時間を示すフィールドである。“伝送率減少時間間隔”の値は、フレームシーケンス番号（ＦＳＮ）フィールドに設定された時点から２０ｍｓの間隔で設定される値の範囲を示す。すなわち、“伝送率減少時間間隔”のそれぞれの値は、“伝送率減少時間間隔 ｘ ２０ｍｓの値（decimal）”の範囲の中の１つを示し、範囲は、ＦＳＮで示されたＣＤＭＡシステムタイムから３２０ｍｓの時間間隔を有する。
【００３９】
“スケーリング（Scaling）”は、基地局制御器がパケット到着時間エラー（Packet Arrival Time Error；ＰＡＴＥ）の値のために設定された時間スケールを示す。“スケーリング”の値は、下記表３の通りである。
【００４０】
【表３】
2006516181.tif 000005
【００４１】
パケット到着時間エラー（Packet Arrival Timer Error；ＰＡＴＥ）は、基地局制御器が実際にフレームプロトコル順方向レイヤー３データ（FP-Forward Layer 3 Data）を受信する受信時間と“スケーリング”フィールドによって計算された予想到着時間との差を示す。従って、ＰＡＴＥの範囲は、＋／−を使用して表現され、“スケーリング”フィールドに指定された値に従って表３に示すように設定される。
【００４２】
“フレーム内容（Frame Content）”は、実際フレームプロトコル順方向レイヤー３データ情報に含まれている情報ビットの数及びコードシンボル反復率（code symbol repetition rate）を示すフィールドである。基地局制御器とメディアゲートウェイとの間の内部帯域シグナリングのために使用されるフレームのタイプは、下記表４及び表５の通りである。ここで、表４は、フレーム内容−特別のフレーム内容パラメータ（Frame Content-Special Frame Contents Parameters）示し、表５は、フレーム内容−フレーム内容パラメータ（Frame Content- Frame Contents Parameters）を示す。
【００４３】
【表４】
2006516181.tif 000006
【００４４】
【表５】
2006516181.tif 000007
【００４５】
“長さ（Length）”は、“長さ”フィールドの後に含まれているバイトの長さに関する情報を含む。
“シグナリングメッセージ及び付加トラフィック（Signaling Message/Secondary Traffic）”は、上記“シグナリングメッセージ／付加トラフィックの値が‘１’として設定される場合、挿入されたシグナリングメッセージ又は付加データ（付加トラフィック）を示す。
【００４６】
また、上記順方向レイヤー３データ情報は、上述した情報要素の以外に順方向リンク情報要素(Forward Link Information + Layer 3 fill)を選択的に含むことができる。
フレームプロトコル制御手順を遂行する間に、Ａ２ｐインターフェース上で内部帯域シグナリング（In-band signaling）を使用してデータを処理する場合、メディアゲートウェイは、Ａ２ｐ順方向フレームメッセージを基地局へ伝送する。上記Ａ２ｐ順方向フレームメッセージの情報要素について説明すると、下記の通りである。
【００４７】
図５Ａは、本発明の実施形態による同期化のためのフレームプロトコルのＡ２ｐ順方向フレームメッセージを示し、図５Ｂは、図５Ａに示すＡ２ｐ順方向フレームメッセージ情報の順方向レイヤー３データ情報を示す。
内部帯域シグナリングにおいて、ユーザデータ（例えば、音声データフレーム）は、フレームプロトコルの制御情報（シグナリングメッセージ及び／又は付加データ）とともに同一のメッセージを通して伝送する。このような内部帯域シグナリングを使用して同期化する場合、フレームプロトコルのメッセージフォーマットは、図５Ａに示すように、メッセージタイプ（Message Type）及びメッセージエラーチェック（Message CRC）に関連した情報を必須的に含み、また、順方向レイヤー３データ（Forward Layer 3 data）情報、フレームプロトコル処理情報、及び時間同期化情報を選択的に含む。このような順方向レイヤー３データの情報要素を図５Ｂを参照して説明すると、下記の通りである。
【００４８】
“コーデック識別子（Codec_Indicator）”は、現在使用しているコーデックに関連した情報を示すフィールドであり、上記表１に示したような逆方向レイヤー３データのコーデック情報と同一の方式にてコーデック識別子の値に従ってコーデック情報を区分する。
“伝送率調節応答（Rate_Reduction_Ack）メッセージ”は、ＤＢ(Dim and Burst)方式のために、基地局制御器の伝送率減少要求に対する応答フィールドである。上記伝送率減少要求が該当フレームの伝送率を減少させるために許容されると、 “伝送率調節応答（Rate_Reduction_Ack）”の値は、“１”として設定され、そうでない場合であるか、又は基本値である場合、伝送率調節応答の値は、“０”として設定される。
【００４９】
“フレームシーケンス番号（Frame Sequence Number；ＦＳＮ）”は、メディアゲートウェイによってフレーム単位でシステム時間を表現した値を１６に設定し、モジュロ（modulo）演算を遂行した値を指定するフィールドである。ここで、モジュロ演算を通して得られた値は、基地局制御器から基地局送受信装置への順方向伝送時間として使用されることができる。
【００５０】
“スケーリング（Scaling）”は、メディアゲートウェイがパケット到着時間エラー（Packet Arrival Time Error；ＰＡＴＥ）の値のための時間スケールを指定するフィールドである。このような“スケーリング”の値は、上記表３に示されたものと同一である。
【００５１】
“パケット到着時間エラー（Packet Arrival Timer Error；ＰＡＴＥ）”は、メディアゲートウェイが実際に逆方向プロトコル−順方向レイヤー３データ（Reverse Protocol-Forward Layer-3 Data）を受信する受信時間と“スケーリング”フィールドによって計算された予想到着時間との間の差分を示すフィールドである。従って、上記ＰＡＴＥの範囲は、＋／−を使用して表現され、“スケーリング”フィールドに設定された値に従って上記表３に示すように設定される。
【００５２】
“フレーム内容（Frame Content）”は、情報ビットの数及びコードシンボル反復率を示すフィールドである。基地局制御器とメディアゲートウェイとの間の内部帯域シグナリングのために使用されるフレームのタイプは、上記表４及び表５に示すようなものと同一である。
【００５３】
また、上記順方向レイヤー３データ情報は、上述した情報要素の以外に、順方向リンク情報要素（Forward Link Information + Layer 3 fill）を選択的に含むことができる。
【００５４】
上記Ａ２ｐ逆方向／順方向フレームメッセージのフレームプロトコル制御手順情報を図６Ａを参照して説明すると、下記の通りである。
上記フレームプロトコル制御手順情報において、フレームプロトコル制御番号は、フレームプロトコル制御形態が割り当てられている場合の該当フレーム番号を示すフィールドである。
【００５５】
“フレームプロトコルモード（FP_Mode）”は、フレームプロトコルモードを示す。上記フレームプロトコルモード（FP_Mode）が‘０’であれば、ユーザ又は他の装置が対象を認識することができない透明モード（Transparent Mode）で動作し、上記フレームプロトコルモード（FP_Mode）が‘１’であれば、非透明モード（Non-Transparent Mode）で動作する。ここで、上記透明モードの場合には、上記フレームプロトコルのメッセージが、処理されず即座に伝送される。非透明モードの場合には、上記フレームプロトコルのメッセージが処理された後に伝送される。このような透明モードは、メディアゲートウェイがマルチメディアゲートウェイの機能をする場合に適用される。すなわち、ＩＰレイヤー上のＳＩＰ呼によって制御されるＶｏＩＰ呼がメディアゲートウェイから基地局（ＲＡＮ）へ伝送される時に使用される場合には、フレームプロトコルがメッセージに適用されない。上記透明モードは、交換機（ＭＳＣ）サーバからメディアゲートウェイ制御(MEdia GAteway COntrol；以下、ＭＥＧＡＣＯと称する)メッセージが受信される場合に動作されるように選択され、非透明モードは、ＭＥＧＡＣＯメッセージが他のメディアゲートウェイ制御関数（Media Gateway Control Funtion；ＭＧＣF）から受信される場合に動作されるように選択される。
【００５６】
“応答（ＡＣＫ／Ｎａｃｋ）”は、フレームプロトコル制御形態で決定されたメッセージに対する応答（Ａｃｋ及びＮａｃｋ）の値を示す。
“フレームプロトコル制御手順（Frame_Protocol_Control_Procedure）”は、伝送されたメッセージに含まれたフレームプロトコルの制御状況を示す。“フレームプロトコル制御手順（Frame_Protocol_Control_Procedure）”は、下記表６の通りである。
【００５７】
【表６】
2006516181.tif 000008
【００５８】
表６に示すように、フレームプロトコル制御手順に設定された値に従って、初期化情報、時間同期化情報、伝送率制御情報、ボコーダモード制御情報などのような情報要素がＡ２ｐ順方向及び逆方向フレームメッセージに選択的に挿入される。
図６Ｂは、フレームプロトコル制御手順フィールドが時間同期化のために設定される場合、Ａ２ｐ順方向／逆方向フレームメッセージに付加される時間同期化情報（Time Synchronization Information）の構成を示す。
【００５９】
“フレームシーケンス番号（Frame Sequence Number 以下、ＦＳＮと称する）の開始”は、時間同期化情報要素として測定された開始ＦＳＮを示すフィールドである。“ＦＳＮの終了（End of FSN）”は、時間同期化情報要素として測定された終了ＦＳＮを示すフィールドである。“損失フレームの数（Number of Lost Frames）”は、開始ＦＳＮと終了ＦＳＮとの間に損失されたフレームの個数を指定するフィールドである。ここで、上記指定された値は、損失フレームの個数を意味する。
【００６０】
“スケーリング（Scaling）”は、フレームを受信する側でパケット到着時間エラー（ＰＡＴＥ）の値のための時間スケールを指定するフィールドであって、“スケーリング”フィールドの値は、下記表７の通りである。
【表７】
2006516181.tif 000009
【００６１】
パケット到着時間エラー（ＰＡＴＥ）は、フレームを実際に受信する側の受信時間と、“スケーリング”フィールドによって計算された予想到着時間との間の差分を示す。従って、上記ＰＡＴＥの範囲は、“＋／−”で表現され、スケーリングフィールドに指定された値に従って表７に示した通りに設定される。
図６Ｃは、本発明の実施形態によるフレームプロトコルのＡ２ｐ逆／順方向フレームメッセージに含まれたメッセージエラーチェックに関する情報を示す図である。
【００６２】
上記メッセージエラーチェックは、順方向／逆方向レイヤー３データ（Forward／Reverse Layer 3 Data）及びメッセージタイプ（Message Type）に適用される標準１６ビット情報を有し、該当メッセージ及びレイヤー３データ情報要素を確認する。このような確認のために、生成多項式“ｇ（ｘ）＝ ｘ１６＋ｘ１２＋ｘ５＋１”を使用する。
【００６３】
図６Ｄは、Ａ２ｐフレームプロトコル逆方向／順方向フレームに挿入される失敗原因情報要素（Failure Cause Information Element）を示す。基地局制御器とメディアゲートウェイとの間で発生する失敗原因値は、下記表８の通りである。下記表８を参照すると、本発明の実施形態に従って伝送される音声データの同期化のための失敗の原因値は、“０１１”であることを分かる。
【００６４】
【表８】
2006516181.tif 000010
【００６５】
一方、フレームプロトコル制御手順を遂行する間に外部帯域シグナリングを使用する場合、Ａｍｐインターフェースを介して独立的に伝送される同期化要求メッセージ（Amp-Time Synchronization）及び同期化応答メッセージ（Amp-Time Synchronization Ack）の情報要素について説明すると、下記の通りである。
図７Ａは、本発明の実施形態に従って同期化のためのフレームプロトコルのＡｍｐ同期化要求メッセージを示す。
【００６６】
“メッセージタイプ”は、Ａｍｐインターフェースを介して伝送されるフレームメッセージを示す１バイトの情報である。“呼接続番号（Call Connection Reference）は、基地局制御器及びメディアゲートウェイ上で該当移動端末の音声呼接続番号を示す情報であって、該当フィールドは、下記表９の通りである。
【表９】
2006516181.tif 000011
【００６７】
表９を参照すると、“呼接続番号”の情報は、長さ（Length）フィールドと、サービスプロバイダーによって設定されたマーケットＩＤを示す２バイトの“マーケットＩＤ（Market ID）”フィールドと、呼接続番号の値を生成する装置にサービスプロバイダーが割り当てたコード番号を示す２バイトのコード番号（以下、Generating Entity IDと称する）フィールドと、該当移動端末が音声データを伝送するか否かを識別するために使用される“Generating Entity”が割り当てた値を示す４バイトの“呼接続番号値（Call Connection Reference Value）”フィールドとを含む。
【００６８】
“モバイル識別子（Mobile Identity）（例えば、ＩＭＳＩ又はＥＳＮ）”は、該当端末の番号を示す情報であり、長さフィールドと識別子タイプ（Type of Identity）フィールドとを含む。このようなモバイル識別子のフィールドは、下記表１０の通りである。
【表１０】
2006516181.tif 000012
【００６９】
ここで、“識別子タイプ（Type of Identity）”フィールドは、下記表１１に示すように、移動端末に対する多様な種類の識別子を示す。
【表１１】
2006516181.tif 000013
【００７０】
“Ａ２ｐベアラーＩＤ（A2p_Bearer ID）”は、基地局制御器とメディアゲートウェイとの間の音声データを伝送するために使用されるベアラーＩＤに関連した情報を示し、ＲＴＰ／ＵＤＰ／ＩＰ又はＧＲＥ／ＩＰのポート番号を意味する。
図８は、 本発明の実施形態によるフレームプロトコルの外部帯域シグナリングを使用する場合の時間同期化応答メッセージを示す。
【００７１】
“メッセージタイプ”は、Ａｍｐインターフェースのメッセージタイプ（Amp Message Type）を示す１バイトの情報である。上記“メッセージタイプ”は、表１２に示す通りに構成され、該当時間同期化Ａｃｋ番号は、以後に指定される値である。
【表１２】
2006516181.tif 000014
【００７２】
原因情報要素は、図６Ｄに示した原因情報要素と同一である。上記原因情報要素は、上記同期化要求メッセージ（Amp-Time Synchronization）を許容しない時に挿入される。上記原因情報要素の残りは、上記同期化要求メッセージ(Amp Time Synchronization)の情報要素と同一である。
【００７３】
このように構成されたＣＤＭＡ ２０００ １ｘにおいて、基地局制御器とメディアゲートウェイとの間の音声データ伝送区間で時間同期化方法について説明する。ここで、上記時間同期化方法は、内部帯域シグナリング手順と外部帯域シグナリング手順とに区分して説明する。
まず、フレームプロトコルの伝送フレームに含まれた制御メッセージを共に伝送する内部帯域シグナリング（In-band signaling）を用いる場合の時間同期化方法について添付図面を参照して説明する。
【００７４】
図９は、本発明の一実施形態による内部帯域シグナリングを適用して音声データの送受信時間同期化のための呼処理手順を示すフローチャートである。
ステップ９１０で、移動端末１１０は、基地局制御器１２１とセッションを設定した後、着信側と音声通信を遂行する。
【００７５】
ステップ９１１で、基地局制御器１２１は、移動端末１１０から受信された音声データの伝送率及び情報ビットを音声データフレームを通してＡ２ｐ逆方向フレームメッセージに挿入し、前記Ａ２ｐ逆方向フレームメッセージをメディアゲートウェイ１３１へ伝送する。このとき、基地局制御器１２１は、メディアゲートウェイ１３１から以前に受信されたＡ２ｐ順方向フレームメッセージの実際到着時間と予想到着時間との差分値をスケーリングの単位時間に従ってＰＡＴＥ情報内の値として指定した後、上記ＰＡＴＥ情報をメディアゲートウェイ１３１へ伝送する。
【００７６】
ステップ９１２で、メディアゲートウェイ１３１は、着信側のメディアゲートウェイ（図示せず）から音声データフレームを通して受信された情報ビット及び音声データの伝送率をＡ２ｐ順方向フレームメッセージに挿入した後、前記Ａ２ｐ順方向フレームメッセージを基地局制御器１２１へ伝送する。このとき、メディアゲートウェイ１３１は、基地局制御器１２１から以前に受信されたＡ２ｐ順方向フレームメッセージの実際到着時間と予想到着時間との差分値をスケーリングの単位時間に従ってＰＡＴＥ情報内の値として指定した後、上記ＰＡＴＥ情報を基地局制御器１２１へ伝送する。
【００７７】
そうすると、ステップ９１３で、基地局制御器１２１は、時間同期化を要求する時間同期化制御手順情報をＡ２ｐ逆方向フレームメッセージに挿入し、上記Ａ２ｐ逆方向フレームメッセージをメディアゲートウェイ１３１へ伝送する。
ステップ９１４で、メディアゲートウェイ１３１は、該当移動端末１１０の時間同期化制御を遂行すると、時間同期化応答をＡ２ｐ順方向フレームメッセージに挿入して基地局制御器１２１へ伝送する。
【００７８】
ステップ９１５で、基地局制御器１２１は、伝送される音声データの伝送率及び情報ビットをＡ２ｐ逆方向フレームメッセージに挿入し、前記Ａ２ｐ逆方向フレームメッセージをメディアゲートウェイ１３１へ伝送する。このとき、基地局制御器１２１は、メディアゲートウェイ１３１から以前に受信されたＡ２ｐ順方向フレームメッセージの実際到着時間と予想到着時間との差分値をスケーリングの単位時間に従ってＰＡＴＥ情報内の値として指定した後、上記ＰＡＴＥ情報をメディアゲートウェイ１３１へ伝送する。
【００７９】
ステップ９１６で、メディアゲートウェイ１３１は、着信側のメディアゲートウェイ（図示せず）から音声データフレームを通して受信された情報ビット及び音声データの伝送率をＡ２ｐ順方向フレームメッセージに挿入した後、前記Ａ２ｐ順方向フレームメッセージを基地局制御器１２１へ伝送する。このとき、メディアゲートウェイ１３１は、以前のＡ２ｐ逆方向フレームメッセージの実際到着時間と予想到着時間との間の差分値をスケーリングの単位時間に従ってＰＡＴＥ情報内の値として指定した後、前記ＰＡＴＥ情報を基地局制御器１２１へ伝送する。
【００８０】
上述したように、本発明の一実施形態によるフレームプロトコルの伝送フレーム内に制御のためのメッセージを共に伝送する内部帯域シグナリングを使用して音声データの送受信時間同期化のための呼処理動作ついて説明した。この後、本発明の他の実施形態態では、別途のシグナリングインターフェース(以下、“Ａｍｐ”と称する)を介して独立して伝送される制御メッセージを使用する外部帯域シグナリングを用いて音声データの送受信時間同期化のための呼処理動作について説明する。
【００８１】
図１０は、本発明の他の実施形態態による外部帯域シグナリングを使用して音声データの送受信時間同期化のための呼処理手順を示すフローチャートである。
ステップ１０１０で、移動端末１１０は、基地局制御器１２１とセッションを設定した後、着信側と音声通話を遂行する。
【００８２】
この後、ステップ１０１１で、基地局制御器１２１は、受信された音声データフレームに含まれた音声データの伝送率及び情報ビットをＡ２ｐ逆方向フレームメッセージに挿入した後、上記Ａ２ｐ逆方向フレームメッセージをメディアゲートウェイ１３１へ伝送する。このとき、基地局制御器１２１は、メディアゲートウェイ１３１から以前に受信されたＡ２ｐ順方向フレームメッセージの実際到着時間と予想到着時間との差分値をスケーリングの単位時間に相当するＰＡＴＥ値として指定した後、上記ＰＡＴＥ情報をメディアゲートウェイ１３１へ伝送する。
【００８３】
ステップ１０１２で、メディアゲートウェイ１３１は、着信側のメディアゲートウェイ（図示せず）から音声データフレームを通して受信された情報ビット及び音声データの伝送率をＡ２ｐ順方向フレームメッセージに挿入した後、前記Ａ２ｐ順方向フレームメッセージを基地局制御器１２１へ伝送する。このとき、メディアゲートウェイ１３１は、基地局制御器１２１から以前に受信されたＡ２ｐ逆方向フレームメッセージの逆方向レイヤー３データ情報の実際到着時間と上記逆方向レイヤー３データ情報内のスケーリングフィールドで計算された予想到着時間との差分値をスケーリングの単位時間に従ってＰＡＴＥフィールドの値として指定し、上記ＰＡＴＥ情報を基地局制御器１２１へ伝送する。
【００８４】
ステップ１０１３で、メディアゲートウェイ１３１から受信されたＡ２ｐ順方向フレームメッセージの遅延が継続して発生する場合、又は遅延幅が大きい場合、又は、上記Ａ２ｐ順方向フレームメッセージのフレーム番号にエラーが発生した場合、基地局制御器１２１は、時間同期化を要求するＡｍｐ時間同期化メッセージをメディアゲートウェイ１３１へ伝送する。
【００８５】
ステップ１０１４で、メディアゲートウェイ１３１は、該当端末の時間同期化制御を遂行した後、Ａｍｐ時間同期化応答メッセージ（Amp-Time Synchronization Ack）を基地局制御器１２１へ伝送する。
ステップ１０１５で、基地局制御器１２１は、ステップ１０１１で遂行された方法と同様に、Ａ２ｐ逆方向フレームメッセージをメディアゲートウェイ１３１へ伝送する。その後、ステップ１０１６で、メディアゲートウェイ１３１は、ステップ１０１２で遂行された方法と同様に、Ａ２ｐ順方向フレームメッセージを基地局制御器１２１へ伝送する。
【００８６】
上述したような時間同期化手順は、フレームを受信する側、すなわち、順方向リンクの場合には、基地局制御器によって制御され、逆方向リンクの場合には、メディアゲートウェイによって制御される。上記時間同期化手順は、大きく２つの方法に区分される。まず、第１の方法によると、基地局制御器及びメディアゲートウェイで順方向と逆方向フレームプロトコルの各プロトコルデータユニット（ＰＤＵ）が適切な時間に受信されないことによって、不必要なバッファ遅延の発生が確認されると、音声データフレームの到着順序が間違っている度に、時間同期化手順が開始される。そして、第２の方法によると、実際の音声データを２０ｍｓフレーム単位ごとに伝送遅延を補正する。上記第１の方法において、制御フレームを伝送して同期化を補正する。上記第１の方法は、不必要なバッファ遅延が一定の時間を超過して発生する場合、又は初期同期化が順次に遂行されなければならない場合に使用される。例えば、このような方法は、ハードハンドオフを遂行する間に、基地局制御器のベアラー伝送ターミネーションポイントは変更されず、メディアゲートウェイの伝送ターミネーションポイントは変更される場合に使用される。一方、第２の方法によると、データフレームの制御フィールドを使用して遅延時間を補正し、フレームが２０ｍｓごとに送受信される場合に使用される。
【００８７】
この後、第１の方法を適用し、フレームプロトコルを用いて基地局制御器とメディアゲートウェイとの間に送受信される音声データの送受信時間同期化のための呼手順の成功及び失敗手順について説明する。
【００８８】
図１１は、本発明の実施形態による時間同期化のための呼手順を成功裏に遂行した場合の動作を示すフローチャートである。
フレームを受信する基地局制御器１２１及びメディアゲートウェイ１３１は、順方向と逆方向リンクで要求された遅延量又は基本単位時間（例えば、５００μｓ又は０．１２５ｍｓ）の個数を順方向／逆方向フレームメッセージを通して相互に通知する。
図１１を参照すると、ステップ１１００で、基地局制御器１２１は、メディアゲートウェイ１３１から不一致したタイミングで遅延の大きさ又は基本単位時間の個数程度の大きさに関する情報を含む順方向フレームを受信する。
【００８９】
そうすると、ステップ１１１０で、基地局制御器１２１は、ユーザデータ（例えば、音声データフレーム）を受信する間に、既存のフレーム番号が変更されるか、又は、順方向へ伝送されるフレームの実際到着時間と予測到着時間との間の差が大きいか否かを確認する。確認の結果、既存のフレーム番号が変更されるか、又はその差が大きい場合には、基地局制御器１２１は、同期化要求をＡ２ｐ逆方向フレームメッセージ及び／又はＡｍｐ時間同期化要求メッセージに指定してメディアゲートウェイ１３１へ伝送する。このとき、基地局制御器１２１は、タイマーＴＴＳＡを駆動し、動作時間を上記Ａ２ｐ逆方向フレームメッセージ又はＡｍｐ時間同期化要求メッセージに挿入してメディアゲートウェイ１３１へ伝送する。従って、メディアゲートウェイ１３１は、同期を整合するための制御フレーム、すなわち、時間同期化要求に関する情報を含む逆方向フレームを受信し、要求された時間間隔に従って伝送タイミングを調節する。ここで、上記時間同期化要求を指定するＡ２ｐ逆方向フレームメッセージ又はＡｍｐ時間同期化要求メッセージに関する情報は、図４Ａ及び図７に示したものと同一である。
【００９０】
ステップ１１２０で、基地局制御器１２１は、メディアゲートウェイ１３１から上記受信された順方向フレームの制御情報が正しくフォーマットされ、フレームプロトコルで処理された情報要素をＡ２ｐ順方向フレームメッセージ又はＡｍｐ時間同期化応答メッセージを通して受信する。このとき、基地局制御器１２１がＡ２ｐ順方向フレームメッセージ又はＡｍｐ時間同期化応答メッセージを受信すると、基地局制御器１２１は、上記タイマーの動作を中止させる。すなわち、上記タイマーの動作時間ＴＴＳＡは、時間同期化要求フレームが伝送された後に開始され、時間同期化応答メッセージが受信される時に終了される。ここで、上記時間同期化要求を指定するＡ２ｐ逆方向フレームメッセージ又はＡｍｐ時間同期化要求メッセージに関する情報は、図５Ａ及び図８に示したものと同一である。
【００９１】
この後、ステップ１１３０で、基地局制御器１２１は、メディアゲートウェイ１３１から調節されたタイミングに従ってユーザデータを受信する。 
一方、メディアゲートウェイ１３１が受信した時間同期化制御フレーム（すなわち、制御情報を含む逆方向フレーム）が正常に処理されない場合、メディアゲートウェイ１３１は、該当原因に関する情報を含む“ＮＡＣＫ”をＡ２ｐ順方向フレームメッセージ又はＡｍｐ時間同期化応答メッセージを通して基地局制御器１２１へ伝送する。
【００９２】
この場合、基地局制御器１２１が“Time Alignment not supported”という原因を含む“ＮＡＣＫ”を受信すると、基地局制御器１２１は、付加的な時間同期化制御フレームを伝送しない。一方、基地局制御器１２１は、“Requested Time Sychronization not possible”の原因を含む“ＮＡＣＫ”を受信すると、基地局制御器１２１は、新たな時間同期化制御フレームをメディアゲートウェイ１３１へさらに伝送する。
【００９３】
上述したように、時間同期化の呼手順は、実時間同期化制御フレームが正確に解析されない場合、または受信されない場合、又は“ＮＡＣＫ”が受信された場合、又はタイマー（ＴＴＳＡ）が終了した場合に失敗する。その場合、上記時間同期化手順は、再び初期化される。また、時間同期化が失敗した後にもやはり必要な場合には、呼処理手順をさらに試みる。
【００９４】
以上、本発明を具体的な実施形態を参照して詳細に説明してきたが、本発明の範囲は上述の実施形態によって限られるべきではなく、本発明の範囲内で様々な変形が可能であるということは、当該技術分野における通常の知識を持つ者には明らかである。
【図面の簡単な説明】
【００９５】
【図１】従来のＣＤＭＡ ２０００ １ｘシステムの構成を示すブロック図である。
【図２】本発明の実施形態によるＣＤＭＡ ２０００ １ｘシステムの構成を示すブロック図である。
【図３】本発明の実施形態によるＣＤＭＡ ２０００ １ｘシステムのプロトコルスタックの一例を示す図である。
【図４Ａ】本発明の実施形態によるフレームプロトコルのＡ２ｐ逆方向フレームメッセージを示す図である。
【図４Ｂ】図４Ａに示したＡ２ｐ逆方向フレームメッセージの‘逆方向レイヤー３データ’情報を示す図である。
【図５Ａ】本発明の実施形態によるフレームプロトコルのＡ２ｐ順方向フレームメッセージを示す図である。
【図５Ｂ】図５Ａに示したＡ２ｐ逆方向フレームメッセージの‘逆方向レイヤー３データ’情報を示す図である。
【図６Ａ】本発明の実施形態によるＡ２ｐ逆方向／順方向フレームメッセージのフレームプロトコル制御手順の情報を示す図である。
【図６Ｂ】本発明の実施形態によるＡ２ｐ逆方向／順方向フレームメッセージの時間同期化情報を示す図である。
【図６Ｃ】本発明の実施形態によるＡ２ｐ逆方向／順方向フレームメッセージの失敗原因情報を示す図である。
【図６Ｄ】失敗原因情報要素を示す図である。
【図７】本発明の実施形態による外部帯域シグナリングを使用する場合のフレームプロトコルの時間同期化メッセージを示す図である。
【図８】本発明の実施形態による外部帯域シグナリングを使用する場合のフレームプロトコルの時間同期化応答メッセージを示す図である。
【図９】本発明の一実施形態による基地局制御器とメディアゲートウェイとの間の内部帯域シグナリングを用いた時間同期化のための呼手順を示すフローチャートである。
【図１０】本発明の他の実施形態態による基地局制御器とメディアゲートウェイとの間の外部帯域シグナリングを用いた時間同期化のための呼手順を示すフローチャートである。
【図１１】本発明の実施形態による時間同期化のための呼手順を成功的に遂行した場合の動作を示すフローチャートである。
【符号の説明】
【００９６】
１１０…移動端末
１２１…基地局制御器
１３１…メディアゲートウェイ
１３３…トランスコーダー
１３２…交換エミュレータ
１５０…パケット制御装置
１６０…パケットデータサービスノード
【図１】
2006516181.tif 000015
【図２】
2006516181.tif 000016
【図３】
2006516181.tif 000017
2006516181.tif 000018
2006516181.tif 000019
2006516181.tif 000020
2006516181.tif 000021
2006516181.tif 000022
2006516181.tif 000023
2006516181.tif 000024
2006516181.tif 000025
【図７】
2006516181.tif 000026
【図８】
2006516181.tif 000027
【図９】
2006516181.tif 000028
【図１０】
2006516181.tif 000029
【図１１】
2006516181.tif 000030
【国際調査報告】
2006516181.tif 000031
2006516181.tif 000032